(57)【要約】【課題】  ダイニングテーブル５における照明ユニットであって、料理を最も美味しく演出することができ、また時間帯、シチュエーション、用途によって、最適な照明環境を実現できるダイニング用ＬＥＤ照明ユニット１を提供する。【解決手段】  ダイニング用ＬＥＤ照明ユニット１は、複数のライン照明用ＬＥＤ１６を一列に配設した色温度の異なる少なくとも２のＬＥＤライン照明１２と、前記ＬＥＤライン照明１２と比較して狭い範囲を照射する１又は複数の高輝度ＬＥＤ１８からなるＬＥＤスポット照明１３と、を備える。【選択図】図１
2011108495.tif 000002
【特許請求の範囲】
【請求項１】
複数のＬＥＤを一列に配設した色温度の異なる少なくとも２のＬＥＤライン照明と、
前記ＬＥＤライン照明と比較して狭い範囲を照射する１又は複数のＬＥＤからなるＬＥＤスポット照明と、を備えることを特徴とするダイニング用ＬＥＤ照明ユニット。
【請求項２】
前記ＬＥＤスポット照明は所定範囲内で照射角度を変更可能であることを特徴とする請求項１に記載のダイニング用ＬＥＤ照明ユニット。
【請求項３】
前記ＬＥＤスポット照明は平均演色評価数Ｒａが８０以上の高演色であることを特徴とする請求項１又は請求項２に記載のダイニング用ＬＥＤ照明ユニット。
【請求項４】
前記２のＬＥＤライン照明が互いに平行に配設されるとともに、
当該ＬＥＤライン照明の両端にそれぞれ１以上の前記ＬＥＤスポット照明が配設されることを特徴とする請求項１から請求項３のいずれかに記載のダイニング用ＬＥＤ照明ユニット。
【発明の詳細な説明】
【技術分野】
【０００１】
この発明は、ダイニング用ＬＥＤ照明ユニットに関し、特に、様々なシーンに合わせて適切な照明環境を作り出すことができるダイニング用ＬＥＤ照明ユニットに関する。
【背景技術】
【０００２】
住宅のダイニングテーブルでは、和洋中などの様々なジャンルの食事が提供される。また、朝食、昼食、夕食、ホームパーティーなどの様々なシチュエーションで食事がなされる。さらに、食事以外でも例えば子供の勉強や読書その他の趣味の作業台として用いられる場合もある。このようにダイニングテーブルは多様なシチュエーションで多様な用途に用いられるものである。したがって、ダイニングテーブルの照明は、シチュエーションに応じて、異なる好適な種類の光が求められる。
【０００３】
２以上の異なる種類の光を発光可能な照明装置の一例としては、例えば、下向きに反射させる下側反射板１０１と、この下側反射板１０１の下方に配置され下側反射板１０１で反射光を生じさせる第１の光源１０２と、上記下側反射板１０１の上方に配置された上側反射板１０３と、これら下側反射板１０１と上側反射板１０３の間に配置され上側反射板１０３で反射光を生じさせる第２の光源１０４と、第１の光源１０２のみが点灯する第１の点灯状態、および第１の点灯状態における第１の光源１０２の光度よりも低い光度で第１の光源１０２が点灯しかつ第２の光源１０４が点灯する第２の点灯状態の間で点灯状態を切換可能な点灯状態切換手段とを備える照明装置１００が提案されている（特許文献１参照）。
【０００４】
この発明によると、点灯状態切換手段により第１の光源１０２のみが点灯する第１の点灯状態とすると、第１の光源１０２の放射光を、下側反射板で反射させた反射光でダイニングテーブル上に照射することになる。このため、ダイニングテーブル上の料理や食器に陰影を得ることができ、食感を増加させることができる。点灯状態切換手段により第２の点灯状態とすると、第１の点灯状態における第１の光源１０２の光度よりも低い光度で第１の光源１０２を点灯させ、かつ第２の光源１０４も点灯させる状態となる。このため、第１の光源１０２の放射光を弱めて下側反射板で反射させた光と、第２の光源１０４の放射光を、上側反射板１０３で反射させた光とをダイニングテーブル上に拡散して照射することになり、手くらがりになることもなく、学習用の照明として好適なものとなる。その結果、ダイニングテーブルを食事に用いる場合でも、学習に利用する場合でも、それぞれの利用に適切な照明条件でダイニングテーブル上を照明できる。
【０００５】
また、２以上の異なる種類の光を発光可能な照明装置の別の例としては、例えば、蛍光ランプ２０１を有する照明装置本体２０２と、照明装置本体２０２の周縁にあって、照明装置本体２０２を取り付ける取付面２０３に垂直な方向を照射する下向き発光ダイオード２０４と、照明装置本体２０２の周縁にあって、照明装置本体２０２の周縁から外側の取付面２０３を照射する斜め上向き発光ダイオード２０５と、を備えることを特徴とする直付け照明装置２００が提案されている（特許文献２参照）。
【０００６】
この発明によると、蛍光ランプ２０１に加えて下向き発光ダイオード２０４と斜め上向き発光ダイオード２０５の光の組み合わせにより、多様な演出効果を発揮させることができる。
【先行技術文献】
【特許文献】
【０００７】
【特許文献１】特開２００９−５９５０２号公報
【特許文献２】特開２００９−１６０５４号公報
【発明の概要】
【発明が解決しようとする課題】
【０００８】
上述のような照明装置１００，２００は、複数の種類の光を発することができ、いくつかのシチュエーションにおいては、好適な照明演出をすることができるが、上述したダイニングテーブルのように、食事のジャンル、時間帯やシチュエーション、用途などが多数ある場合には、上述の照明装置でも十分とはいえない。
【０００９】
そこで、本発明はダイニングテーブルにおける照明ユニットであって、料理を最も美味しく演出することができ、また時間帯、シチュエーション、用途によって、最適な照明環境を実現できるダイニング用ＬＥＤ照明ユニットを提供することを目的とする。
【課題を解決するための手段】
【００１０】
請求項１に記載のダイニング用ＬＥＤ照明ユニットは、複数のＬＥＤを一列に配設した色温度の異なる少なくとも２のＬＥＤライン照明と、前記ＬＥＤライン照明と比較して狭い範囲を照射する１又は複数のＬＥＤからなるＬＥＤスポット照明と、を備えることを特徴としている。
【００１１】
請求項２に記載のダイニング用ＬＥＤ照明ユニットは、前記ＬＥＤスポット照明は所定範囲内で照射角度を変更可能であることを特徴としている。
【００１２】
請求項３に記載のダイニング用ＬＥＤ照明ユニットは、前記ＬＥＤスポット照明は平均演色評価数Ｒａが８０以上の高演色であることを特徴としている。
【００１３】
請求項４に記載のダイニング用ＬＥＤ照明ユニットは、前記２のＬＥＤライン照明が互いに平行に配設されるとともに、当該ＬＥＤライン照明の両端側にそれぞれ１以上の前記ＬＥＤスポット照明が配設されることを特徴としている。
【発明の効果】
【００１４】
請求項１に記載のダイニング用ＬＥＤ照明ユニットによると、ＬＥＤを一列に配設したＬＥＤライン照明を備えるので、長寿命、省エネ、光源があまり発熱せず、廃棄する際にも環境負荷が小さい、小型高輝度、紫外線が含まれないなどのＬＥＤの長所はそのまま生かしつつ、ムラのない、均斉度の高い照明を実現することができる。また、このダイニング用ＬＥＤ照明ユニットは、色温度の異なるＬＥＤライン照明が少なくとも２つ配設されているので、これらのＬＥＤライン照明を全て点灯する、いずれか一方を点灯する、いずれも点灯しない等の点灯パターンを変えることにより色温度や照度の異なる複数の光を提供することができる。
【００１５】
さらに、請求項１に記載のダイニング用ＬＥＤ照明ユニットは、ＬＥＤライン照明と比較して狭い範囲を照射する１又は複数のＬＥＤからなるＬＥＤスポット照明を備えるので、ダイニングテーブルに載置された料理などを強い陰影のある光で照明することができ、料理を最も美味しく見せることができる照明を選択することができる。また、広い範囲を照明する必要がない場合は、例えば、１つのＬＥＤスポット照明のみを点灯するなどして、消費電力を節約することもできる。
【００１６】
請求項２に記載のダイニング用ＬＥＤ照明ユニットによると、ＬＥＤスポット照明が所定範囲内で照射角度を変更可能であるので、適切な角度でダイニングテーブルに載置された料理などに照明を当てることができる。
【００１７】
請求項３に記載のダイニング用ＬＥＤ照明ユニットによると、ＬＥＤスポット照明の平均演色評価数Ｒａが８０以上の高演色であるので、ダイニングテーブルに載置された料理などの色をはっきり見せることができる。
【００１８】
請求項４に記載のダイニング用ＬＥＤ照明ユニットによると、２つのＬＥＤライン照明が互いに平行に配設されるとともに、これらＬＥＤライン照明の両端にそれぞれ１以上のＬＥＤスポット照明が配設されるので、ＬＥＤライン照明はダイニングテーブルの上方中央で広い範囲をムラなく照明することができ、両端に設けられたＬＥＤスポット照明で、例えばダイニングテーブルに載置された料理を両側から照らすことができ、又は、両側のＬＥＤスポット照明で２つ以上の別の料理をそれぞれ照らすことができる。
【図面の簡単な説明】
【００１９】
【図１】ダイニング用ＬＥＤ照明ユニットを下側から見た図。
【図２】ダイニング用ＬＥＤ照明ユニットを側方から見た図。
【図３】ダイニング用ＬＥＤ照明ユニットのＬＥＤスポット照明を説明する一部省略拡大図。
【図４】ＬＥＤスポット照明を照射したダイニング用ＬＥＤ照明ユニットの状態を説明する図。
【図５】ＬＥＤライン照明を照射したダイニング用ＬＥＤ照明ユニットの状態を説明する図。
【図６】従来の照明装置の一例を示す図。
【図７】従来の照明装置の別の実施例を示す図。
【発明を実施するための形態】
【００２０】
以下、ダイニング用ＬＥＤ照明ユニット１の最良の実施形態について、各図を参照しつつ説明する。このダイニング用ＬＥＤ照明ユニット１は、図４及び図５によく表れているように、主に住宅のダイニングテーブル５上の天井２から吊下げられて設置されるものであるが、これに限られずリビングその他の多種多様な照明演出を必要とする場所に設置することができる。
【００２１】
ダイニング用ＬＥＤ照明ユニット１は、図１及び図２に示すように、ダイニングの天井２に設けられたローゼット３に固定された２本の支持コード１０と、この２本の支持コード１０によって吊下げられる長手形状の枠体１１と、この枠体１１の中央部分に平行に埋め込まれる２本のＬＥＤライン照明１２と、このＬＥＤライン照明１２の両端側にそれぞれ２つずつ設置されるＬＥＤスポット照明１３と、外部から所定の信号の入力を受付ける赤外線センサ１４と、外部から入力された所定の信号に基づいてこれらのＬＥＤライン照明１２及びＬＥＤスポット照明１３の点灯消灯を制御する制御部１５と、により構成されている。
【００２２】
２本の支持コード１０は、一端がローゼット３に引っ掛けて固定可能な形状に形成されており、吊下げられた枠体１１と、この枠体１１に固定されるＬＥＤライン照明１２及びＬＥＤスポット照明１３とを支持できる強度を持った線状体である。この支持コード１０は住宅の電気配線に接続されており、電力をこのダイニングＬＥＤ用照明ユニット１に供給する役割も果たしている。枠体１１は、樹脂又は金属で形成された直方体である。この枠体１１の中央は下方に向かって開口されており、２本のＬＥＤライン照明１２が平行に収納されて例えば図示しないネジにより固定されている。
【００２３】
ＬＥＤライン照明１２は、長手形状の棒状基板１９に多数のライン照明用ＬＥＤ１６を一列に配設して構成されている。ダイニング用ＬＥＤ照明ユニット１は、色温度の異なる２本のＬＥＤライン照明１２が設けられている。高色温度ＬＥＤライン照明１２ａは例えば５０００ケルビン程度の高い色温度の光を発光可能なライン照明用ＬＥＤ１６が用いられており、低色温度ＬＥＤライン照明１２ｂは例えば３０００ケルビン程度の低い色温度の光を発光可能なライン照明用ＬＥＤ１６が用いられている。このように高色温度ＬＥＤライン照明１２ａを昼間の太陽光に近い５０００ケルビンとし、低色温度ＬＥＤライン照明１２ｂをハロゲン電球に近い３０００ケルビンとすることで、様々な用途、シチュエーションなどで適切な色温度の照明を提供することができるが、ＬＥＤライン照明１２の発光色温度は上述のものに限定されるものではない。
【００２４】
また、ＬＥＤライン照明１２の数は、２本に限定されるものではなく、色温度の異なる３本以上のＬＥＤライン照明１２を用いれば、ダイニング用ＬＥＤ照明ユニット１をより多様な色温度に発光させることができる。なお、本実施形態においては、高色温度ＬＥＤライン照明１２ａと低色温度ＬＥＤライン照明１２ｂとで、異なる色温度に発光するライン照明用ＬＥＤ１６を用いたが、例えばライン照明用ＬＥＤ１６自体は同じものを使用しつつ、このＬＥＤライン照明１２の照射面に異なる色温度に変換できるフィルムを貼付して、所望の色温度のＬＥＤライン照明１２を実現してもよい。
【００２５】
ＬＥＤスポット照明１３は、金属製の円筒体１３ａと、この円筒体１３ａ内部に収納されて下方を照らす発光体１３ｂと、この発光体１３ｂを支持する支持アーム１３ｃと、により構成されている。円筒体１３ａは、内部に収納された発光体１３ｂの発光を下方に集光して、グレアの発生を抑制するものである。また、発光体１３ｂは、円筒体１３ａに挿入されてこの円筒体１３ａを固定する円形基板１７の下面に５個の高輝度ＬＥＤ１８を環状に配置して構成されるものである。また、支持アーム１３ｃは、上端が枠体１１に固定されて枠体１１から垂下されつつ発光体１３ｂを支持するものである。この支持アーム１３ｃには、図３に示すように、ユニバーサルジョイントが形成されており、円筒体１３ａ及び発光体１３ｂは所定範囲で揺動自在となっている。
【００２６】
このＬＥＤスポット照明１３に用いられる高輝度ＬＥＤ１８は、平均演色評価数Ｒａが例えば８０以上の高演色のものが用いられる。これによりこのＬＥＤスポット照明１３に照射されたものの色がより明確にわかる。なお、より好ましくは、この高輝度ＬＥＤ１８の平均演色評価数Ｒａが９０以上の超高演色であることである。
【００２７】
赤外線センサ１４は、赤外線リモートコントローラであるシーンコントローラ４からの赤外線信号の入力を受付けるものである。シーンコントローラ４は、居住者の入力に基づいて、ダイニング用ＬＥＤ照明ユニット１の２本のＬＥＤライン照明１２、及び４個のＬＥＤスポット照明１３のそれぞれの点灯及び消灯のコマンドを赤外線センサ１４に対して送信する。なお、このシーンコントローラ４は住宅に設置されている他の照明の点灯や消灯をも制御できるものである。
【００２８】
制御部１５は、赤外線センサ１４が受信した赤外線信号に基づいて、ダイニング用ＬＥＤ照明ユニット１の２本のＬＥＤライン照明１２、及び４個のＬＥＤスポット照明１３のそれぞれの点灯及び消灯を制御するマイクロコンピュータである。なお、この制御部１５は例えば２本のＬＥＤライン照明１２、及び４個のＬＥＤスポット照明１３に供給する電圧をコントロール可能なインバータ基盤で構成することができ、供給する電圧を増減させることにより、これらＬＥＤライン照明１２、及びＬＥＤスポット照明１３の光度を変化させ調光する機能を有していてもよい。
【００２９】
以上のように構成されるダイニング用ＬＥＤ照明ユニット１は、上方からダイニングテーブル５を照射する。例えばフランス料理などのように立体的な料理を食べる時には、図４に示すように、ＬＥＤスポット照明１３を点灯して、ダイニングテーブル５に載置した料理の陰影をより際立たせることができる。またこのＬＥＤスポット照明１３は、高輝度且つ高演色であるので、食材やソースの色をより明確に見せることができる。なお、本実施形態においてはＬＥＤスポット照明１３は片側２個ずつの計４個配設されているので、例えば４人で食事をする際には、それぞれの料理に１つずつのＬＥＤスポット照明１３が光を照射することができるが、このＬＥＤスポット照明１３の数は１以上の何個であってもよい。
【００３０】
一方、和食などのように落ち着いた雰囲気が似合う料理を食べる時には、図５に示すように、ＬＥＤスポット照明１３を消灯して、低色温度ＬＥＤライン照明１２ｂを点灯することで、より柔らかい、ムラのない光で料理を照らすことができる。このようにダイニング用ＬＥＤ照明ユニット１を用いると、料理のジャンルに合わせて最適な照明方法を選択することができるので、料理をより美味しく演出することができる。
【００３１】
また、例えば、朝食や昼食などには太陽光に近い高色温度ＬＥＤライン照明１２ａを用い、夕食には低色温度ＬＥＤライン照明１２ｂを用いることで、朝昼にはよりさわやかな照明で交感神経を刺激して日中の活動に集中できるようにし、夕食はよりやわらかな照明で副交感神経を刺激してリラックスすることができるようにすることができる。
【００３２】
さらに、上述のようなＬＥＤスポット照明１３とＬＥＤライン照明１２とを組み合わせることで、華やかな明かりを演出することができ、例えばホームパーティーなどにおいても、より好ましい照明環境を作ることができる。
【００３３】
なお、本発明の実施の形態は上述の形態に限ることなく、本発明の思想の範囲を逸脱しない範囲で適宜変更することができることは云うまでもない。
【産業上の利用可能性】
【００３４】
本発明に係るダイニング用ＬＥＤ照明ユニット１は、例えば住宅のダイニングテーブル５を照射する照明として好適に用いることができる。
【符号の説明】
【００３５】
１      ダイニング用ＬＥＤ照明ユニット
１２    ＬＥＤライン照明
１３    ＬＥＤスポット照明
１６    ライン照明用ＬＥＤ（ＬＥＤ）
１８    高輝度ＬＥＤ（ＬＥＤ）
【図１】
2011108495.tif 000003
【図２】
2011108495.tif 000004
【図３】
2011108495.tif 000005
【図４】
2011108495.tif 000006
【図５】
2011108495.tif 000007
【図６】
2011108495.tif 000008
【図７】
2011108495.tif 000009